(57)【要約】      （修正有）【課題】複数の方向に明かりを提供し、かつ、複数の方向に音声を効率よく伝える照明装置を提供する。【解決手段】照明装置は、筐体と、筐体の上部２に設けられた太陽電池パネル２１と、太陽電池パネル２１により生じた電力を蓄積する二次電池と、筐体の側面部全周に設けられた発光部４ｄと、発光部を発光させる光源と、無線放送を受信する受信機と、筐体の底部３に振動面１０ａが向くように筐体の内部に設けられたスピーカ１０と、底部３の振動面１０ａに対応した位置に設けられた開口部１０２と、筐体の底部３を設置面から浮かせるように設けられた支持部１０５ａ、１０５ｂと、を有する。【選択図】図７
0003168967.tif 000002
【実用新案登録請求の範囲】
【請求項１】
筐体と、
前記筐体の上部に設けられた太陽電池パネルと、
前記太陽電池パネルにより生じた電力を蓄積する二次電池と、
前記筐体の側面部全周に設けられた発光部と、
前記発光部を発光させる光源と、
無線放送を受信する受信機と、
前記筐体の底部に振動面が向くように前記筐体の内部に設けられたスピーカと、
前記底部の前記振動面に対応した位置に設けられた開口部と、
前記筐体の底部を設置面から浮かせるように設けられた支持部と、
を有することを特徴とする照明装置。
【請求項２】
前記開口部は前記筐体の底部を構成する面よりも前記筐体の内部側に配置されている、請求項１に記載の照明装置。
【請求項３】
前記発光部は複数の発光領域に分割されており、前記光源は前記複数の発光領域を選択的に発光させる、請求項１または２に記載の照明装置。
【請求項４】
前記二次電池に電力を供給するための入力端子をさらに有する、請求項１乃至３のいずれか一項に記載の照明装置。
【請求項５】
前記二次電池に蓄積された電力を前記筐体の外部に出力するための出力端子をさらに有する、請求項１乃至４のいずれか一項に記載の照明装置。
【考案の詳細な説明】
【技術分野】
【０００１】
本考案は、照明装置に関し、特に太陽電池パネルと受信機を備えた照明装置に関する。
【背景技術】
【０００２】
自然災害等により電力の供給が停止された場合や、電力が供給されないような場所に避難した場合、あるいは、電力を供給するインフラが整備されていない地域においては、二次電池により駆動する照明装置や受信機が必要とされる場合がある。そのような装置として、二次電池及び受信機を備えた照明装置が報告されている（例えば、特許文献１）。
【０００３】
図８に従来の照明装置の斜視図を示す。照明装置２００は、筐体２０１と、太陽電池パネル２０２と、照明用パネル２０３と、二次電池２０４と、受信機２０５と、スピーカ２０６とを備えている。照明用パネル２０３は、液晶表示装置を備えており、受信機２０５で受信したテレビ画像を表示するだけでなく、単色の画面を表示させて照明用のパネルとしても使用する。太陽電池パネル２０２は、筐体２０１の照明用パネル２０３と反対側の面に設けられており、太陽電池パネル２０２で発生させた電力を二次電池２０４に充電する。スピーカ２０６は、受信機２０５で受信した無線放送の音声を出力する。このような構成により、電力の供給がなされないような状況下においても、受信機により無線放送を受信し、照明用パネルにより明かりを得ることができるというものである。
【先行技術文献】
【特許文献】
【０００４】
【特許文献１】特開２０１０−９９４７号公報
【考案の概要】
【考案が解決しようとする課題】
【０００５】
従来の照明装置においては、照明用パネルは照明装置を構成する筐体の１つの面にのみ設けられている。そのため、個人で利用する場合等、１方向のみを照らす場合には問題はないが、複数の利用者に対して明かりを提供する場合などのように、照明装置を中心とした複数の方向を照らすことはできなかった。
【０００６】
さらに、受信機で受信した放送内容を音声としてスピーカから出力する場合においても、スピーカは照明装置の筐体の側面に設けられているために、照明用パネルを増設する際に照明用パネルの配置の妨げになり、さらに、複数の利用者に対して効率よく音声を伝えることはできないという問題があった。
【０００７】
このように、従来の照明装置においては、照明装置を中心とした複数の方向に明かりを提供し、かつ、複数の方向に音声を効率よく伝えることはできなかった。
【課題を解決するための手段】
【０００８】
本考案の照明装置は、筐体と、筐体の上部に設けられた太陽電池パネルと、太陽電池パネルにより生じた電力を蓄積する二次電池と、筐体の側面部全周に設けられた発光部と、発光部を発光させる光源と、無線放送を受信する受信機と、筐体の底部に振動面が向くように筐体の内部に設けられたスピーカと、底部の振動面に対応した位置に設けられた開口部と、筐体の底部を設置面から浮かせるように設けられた支持部と、を有することを特徴とする。
【０００９】
また、開口部は筐体の底部を構成する面よりも筐体の内部側に配置されていることが好ましい。
【００１０】
さらに、発光部は複数の発光領域に分割されており、光源は複数の発光領域を選択的に発光させてもよい。
【００１１】
また、二次電池に電力を供給するための入力端子をさらに有していてもよい。
【００１２】
また、二次電池に蓄積された電力を筐体の外部に出力するための出力端子をさらに有していてもよい。
【考案の効果】
【００１３】
本考案の照明装置によれば、照明装置を中心とした複数の方向に明かりを提供し、かつ、複数の方向に音声を効率よく伝えることができる。
【図面の簡単な説明】
【００１４】
【図１】本考案に係る照明装置の構成図である。
【図２】本考案に係る照明装置の斜視図である。
【図３】本考案に係る照明装置の斜視図である。
【図４】本考案に係る照明装置の照射方向を示す図である。
【図５】本考案に係る照明装置の図１のＡ−Ａに対して垂直方向の断面図である。
【図６】本考案に係る照明装置の図１のＩの方向からみた底面の平面図である。
【図７】本考案に係る照明装置の図１のIIの方向からみた側面の平面図である。
【図８】従来の照明装置の斜視図である。
【考案を実施するための形態】
【００１５】
以下、図面を参照して、本考案に係る照明装置について説明する。ただし、本考案の技術的範囲はそれらの実施の形態には限定されず、実用新案登録請求の範囲に記載された考案とその均等物に及ぶ点に留意されたい。
【００１６】
図１に本考案の照明装置の構成図を示す。照明装置１は、太陽電池パネル２１と、太陽電池パネル２１により生じた電力を蓄積する二次電池８と、筐体の側面部全周に設けられた発光部を発光させる光源４０と、無線放送を受信する受信機１４と、スピーカ１０と、を有する。
【００１７】
太陽電池パネル２１により発生した電力は、充電制御部７により二次電池８に過充電がされないように制御されて二次電池８に蓄積される。二次電池には、リチウムイオン二次電池、リチウムイオンポリマー二次電池、ニッケル・水素蓄電池、ニッケル・カドミウム蓄電池等を用いることができるがこれらには限られない。二次電池８に蓄積された電力は、第１DC-DCコンバータ９で光源４０に適した電圧に変換された後、光源４０に供給される。
【００１８】
光源４０は、第１光源４１ａから第４光源４１ｄまでの４つの光源を備えており、制御部１２より選択的に発光制御される。第１光源４１ａ乃至第４光源４１ｄの選択的な発光については後述する。
【００１９】
照明装置１は、筐体の内部にアンテナ１３を備えており、アンテナ１３により受信した信号を受信機１４に供給する。受信機１４で受信した音声信号はアンプ１１に供給され、スピーカ１０から音声として出力される。
【００２０】
また、制御部１２には操作・表示部５が接続されており、操作・表示部５は操作部５１と、表示部５２を備えている。操作部５１を操作することにより、受信機１４における放送局の選択や、スピーカ１０の音量の調整、及び光源４０の第１光源４１ａ乃至第４光源４１ｄのうちの発光させる光源を選択したり、各光源の光量を調節したりすることができる。表示部５２は、二次電池８の蓄積電力の残量、外部への電圧供給状況を表示させることができる。
【００２１】
二次電池８には、太陽電池パネル２１により発生させた電力を蓄積させるが、外部から電力を供給するようにしてもよい。この場合は、入力端子１８に外部電源（図示せず）を接続し、電圧リミッタ１７を介して二次電池８に蓄積する。外部電源としては、家庭用コンセントに接続するＡＣアダプタや、手動式発電機を用いることができるがこれらには限られない。
【００２２】
さらに、照明装置１にはＵＳＢ端子等の出力端子１６が設けられており、二次電池８に蓄積された電力が第２DC-DCコンバータ１５を介して変圧された後に外部へ出力される。出力端子１６に携帯電話やモバイルコンピュータ等を接続することによりこれらの機器を動作させたり、これらの機器に内蔵された二次電池に充電を行ったりすることができる。
【００２３】
次に、本考案の照明装置の構成について説明する。図２に本考案の照明装置の斜視図を示す。照明装置は、筐体と、筐体の上部に設けられた太陽電池パネルと、太陽電池パネルにより生じた電力を蓄積する二次電池と、筐体の側面部全周に設けられた発光部と、発光部を発光させる光源と、無線放送を受信する受信機と、筐体の底部に振動面が向くように筐体の内部に設けられたスピーカと、底部の振動面に対応した位置に設けられた開口部と、筐体の底部を設置面から浮かせるように設けられた支持部とを有する。
【００２４】
照明装置１の筐体は立方体であり、上部２、底部３、側面部４を有する。筐体の上部２には太陽電池パネル２１が設けられている。太陽電池パネル２１には、カドミウムテルル、アモルファスシリコン(a-Si)、a-Siと単結晶シリコンの多接合型などの太陽電池パネルにより構成することができる。
【００２５】
側面部４は、４つの面からなっており、例えば１つの面には第１発光部４ａ、第１側面上部４０１ａ、第１側面下部４０２ａを有する。従って、側面部４には、第１発光部４ａ乃至第４発光部４ｄの４つの発光領域が形成されており、照明装置内部に設けられた光源からの光を外部に供給する。第１発光部４ａ乃至第４発光部４ｄは光源からの光を照明装置１の外部へ出力するように透明または半透明の材質からなっていることが好ましい。
【００２６】
側面下部、例えば第１側面下部４０２ａには操作・表示部５が設けられている。また、側面上部、例えば第２側面上部４０１ｂと対向する位置に設けられた第４側面上部４０１ｄには持ち手６が設けられており、中心部６１を中心として、自在に位置を変えることができる。例えば、照明装置１を搬送する場合には持ち手６を垂直方向に立てて使用することができ、太陽電池パネル２１に太陽光を照射させる場合には持ち手６を水平方向に倒して、持ち手６が太陽電池パネル２１に影を落とさないようにすることができる。
【００２７】
照明装置１の底部３の４つのコーナー部には第１支持部１０５ａ乃至第４支持部１０５ｄが設けられている。また、各支持部、即ち、第１支持部１０５ａ乃至第４支持部１０５ｄには、それぞれ第１支持部設置用凹部１０４ａ乃至第４支持部設置用凹部１０４ｄが設けられている。図２の斜視図においては、第２支持部１０５ｂ及び第２支持部設置用凹部１０４ｂは描かれていない。上記の第１支持部１０５ａ乃至第４支持部１０５ｄにより、照明装置１の底部は設置面から所定の距離だけ離隔させることができる。
【００２８】
次に、照明装置の光源の配置について説明する。図３は照明装置１の斜視図であり、図２における斜視図から第１発光部４ａを構成しているパネルを取り除いた様子を示している。筐体の内部には第１発光部４ａ乃至第４発光部４ｄに対応させて、第１光源４１ａ乃至第４光源４１ｄが設けられている。第１光源４１ａ乃至第４光源４１ｄには第１ＬＥＤ４２ａ乃至第４ＬＥＤ４２ｄが設けられており、図３には第１光源４１ａ及び第１ＬＥＤ４２ａのみを示している。なお、ＬＥＤの代わりに白熱電球等、他の光源を用いることもできるが、消費電力の観点からＬＥＤを用いることが好ましい。
【００２９】
照明装置１の内部には第１ＬＥＤ４２ａ乃至第４ＬＥＤ４２ｄからの光が効率よく外部へ照射されるように、１つの光源に対してそれぞれ４つの反射板４３ａ〜４３ｄ、４４ａ〜４４ｄ、４５ａ〜４５ｄ、４６ａ〜４６ｄが設けられている。図３においては、反射板４３ａ、４４ａ、４５ａ、４６ａのみを示している。それぞれの反射板は反射効率を高めるために白色または銀白色であることが好ましい。
【００３０】
次に、照明装置の発光について説明する。図４は照明装置１を上部２側から俯瞰した様子を示している。上部２には太陽電池パネル２１を記載しているが持ち手６は省略している。同図の矢印ａ〜ｄは光が照射されている様子を示している。まず、照明装置１は同図（ａ）に示すように、第１発光部４ａ乃至第４発光部４ｄの４つの側面全てから光ａ〜ｄを供給することができる。また、同図（ｂ）に示すように、４つの側面のうちの３つの側面、例えば第３発光部４ｃを除いて、光ａ、ｂ、ｄを供給することもできる。さらに、同図（ｃ）〜（ｅ）に示すように、４つの側面のうちの２つの側面から光を供給することもできる。この場合、２つの側面の選択方法として、同図（ｃ）に示すように、対向する２つの面から光を供給することもできるし、同図（ｄ）、（ｅ）に示すように、直交する２つの面から光を供給することができる。また、同図（ｆ）に示すように、１つの側面のみから光を供給することもできる。上記のような発光領域の選択は操作部５を操作することにより行うことができる。また、ＬＥＤの光量自体も調節可能とすることが好ましい。以上のように、必要に応じて発光させる領域を選択することができるので、電力消費量を最適化することができる。
【００３１】
次に、本考案の照明装置に設けられたスピーカについて説明する。図５は、図１に示した照明装置のＡ−Ａに対して垂直であって、照明装置の中心点を通る面における断面図である。スピーカ１０は、照明装置１の筐体の底部３に振動面１０ａが向くように筐体の内部に設けられている。さらに、底部３の振動面１０ａに対応した位置には開口部１０２が設けられている。
【００３２】
ここで、開口部１０２の周辺には凹部１０１が設けられており、開口部１０２は筐体の底部を構成する面３´よりも筐体の内部側に配置されている。即ち、図３に示すように、開口部１０２は筐体の底部を構成する面３´よりも距離ｄ１だけ筐体の内部側に設けられている。
【００３３】
図６に、照明装置１の図１のＩの方向からみた底面の平面図を示す。開口部１０２には複数の孔１０３が設けられており、図５に示したスピーカ１０の振動面１０ａから発せられた音声が孔１０３を通して外部に伝えられる。
【００３４】
図７に、照明装置１の図１のIIの方向からみた側面の平面図を示す。同図において、照明装置１は設置面１００上に設置された様子を示している。同図に示すように、照明装置１の底部３は、第１支持部１０５ａ乃至第４支持部１０５ｄにより設置面１００から距離ｄ２だけ離隔されている。また、図６に示したように、開口部１０２は底部を構成する面３´から距離ｄ１だけ離隔されている。従って、スピーカ１０の振動面１０ａは床面から少なくともｄ＝ｄ１＋ｄ２だけ離隔されている。このように、本考案の照明装置においては、スピーカの音声を伝えるための開口部を筐体の底部を構成する面よりも筐体の内部側に配置し、筐体の底部を設置面から浮かせるように支持部を設けているので、スピーカからの音声を効率よく伝達することができる。
【００３５】
以上の説明においては、太陽電池パネルを筐体の上部に設ける構成について説明したが、本考案はこのような構成には限られない。即ち、太陽電池パネルを筐体の上部に設ける必要はなく、筐体の外部に外付けとしてもよいし、太陽電池パネルの代わりに手動式の発電機や外付けのＡＣアダプタ等によりに二次電池を充電してもよい。
【００３６】
上記のように太陽電池パネルを筐体の上部に設けない構成とした場合は、筐体の側面部だけでなく筐体の上部にも発光部を設けるようにしてもよい。この場合は、側面部に設けた発光部に加えて、上部に設けた発光部をも選択的に発光させることもできる。このような構成とすることにより、照明装置の発光パターンのバリエーションをさらに増やすことができる。
【符号の説明】
【００３７】
１    照明装置
２    上部
３    底部
４    側面部
４ａ〜４ｄ    第１発光部〜第４発光部
５    操作・表示部
６    持ち手
７    充電制御部
８    二次電池
９    第１DC-DCコンバータ
１０    スピーカ
１０ａ    振動面
１１    アンプ
１２    制御部
１３    アンテナ
１４    受信機
１５    第２DC-DCコンバータ
１６    出力端子
１７    圧リミッタ
１８    入力端子
２１    太陽電池パネル
４０    光源
４１ａ〜４１ｄ    第１光源〜第４光源
４２ａ〜４２ｄ    第１ＬＥＤ〜第４ＬＥＤ
５１    操作部
５２    表示部
１０１    凹部
１０２    開口部
１０３    孔
１０４ａ〜１０４ｄ    第１支持部設置用凹部〜第４支持部設置用凹部
１０５ａ〜１０５ｄ    第１支持部〜第４支持部
【図１】
0003168967.tif 000003
【図２】
0003168967.tif 000004
【図３】
0003168967.tif 000005
【図４】
0003168967.tif 000006
【図５】
0003168967.tif 000007
【図６】
0003168967.tif 000008
【図７】
0003168967.tif 000009
【図８】
0003168967.tif 000010